(57)【要約】【課題】かつらの頭部への固定化とボリュームアップを図る【解決手段】平面状のかつらであり、トップ部１は面状のベース３と、該ベース３に設けられる多数のヘア３３とからなる。ベース３の外縁に開口ライン２２が形成される。開口ライン２２は上記ベース３を長手方向に３等分して形成される前部３ａの一端に形成された始点７ａから中間部３ｂを経て後部３ｃまで連続するとともに、該後部３ｃで前部３ａの他端に形成される終点８ａに向けて反転し、中間部３ｂを経て前部３ａまで連続して形成される。開口ライン２２に沿ってトップ部１がライン部９から分離可能に設けられる。ライン部９は線状に形成される線状ベース９ａと、線状ベース９ａに設けられる多数のヘア３３とからなる。ライン部９はトップ部１の外側に開口ライン２２より径大に形成され、開口部１３より自毛１９が取り出される。【選択図】図１
2015200040.tif 000002
【特許請求の範囲】
【請求項１】
トップ部と、ライン部と、トップ部とライン部との間に形成される開口部とからなる平面状のかつらであって、
トップ部は面状のベースと、該ベースに設けられる多数のヘアとからなり、
上記ベースの外縁に開口ラインが形成され、該開口ラインは略Ｕ字形状に形成され、
該開口ラインに沿って上記トップ部が上記ライン部から分離可能に設けられ、
該ライン部は線状に形成される線状ベースと、該線状ベースに設けられる多数のヘアとからなり、
上記ライン部が上記トップ部の外側に上記開口ラインより径大の略Ｕ字形状に形成され、
上記開口部より自毛が取り出されることを特徴とするセパレートかつら。
【請求項２】
請求項１記載のセパレートかつらにおいて、上記トップ部と上記ライン部とが装着時に段状に分離し、かつらが３次元形状に形成されることを特徴とするセパレートかつら。
【請求項３】
請求項１又は請求項２記載のセパレートかつらにおいて、上記開口ラインは上記ベースを長手方向に３等分して形成される前部の一端に形成された始点から中間部を経て後部まで連続するとともに、該後部で上記前部の他端に形成される終点に向けて反転し、上記中間部を経て上記前部まで連続して形成されることを特徴とするセパレートかつら。
【請求項４】
請求項１乃至請求項３のいずれか一に記載のセパレートかつらにおいて、上記トップ部と上記ライン部の間に他の開口部を介して他のライン部が設けられ、該他のライン部は線状に形成される線状ベースと、該線状ベースに設けられる多数のヘアとからなり、上記他のライン部が上記ライン部の内側に上記ライン部の開口ラインより径小であって上記トップ部の開口ラインより径大の略Ｕ字形状に形成されることを特徴とするセパレートかつら。
【請求項５】
請求項４記載のセパレートかつらにおいて、上記他のライン部が単一個設けられることを特徴とするセパレートかつら。
【請求項６】
請求項４記載のセパレートかつらにおいて、上記他のライン部が複数個設けられることを特徴とするセパレートかつら。
【請求項７】
請求項１記載のセパレートかつらにおいて、上記ライン部が前部から中間部までは連続する直線状に形成され、後部では半円状に形成されることを特徴とするセパレートかつら。
【請求項８】
請求項１記載のセパレートかつらにおいて、上記ベース及び上記ライン部の始点及び終点がいずれも上記前部に位置することを特徴とするセパレートかつら。
【請求項９】
請求項１記載のセパレートかつらにおいて、上記トップ部の前部及び後端部に自毛に固定される固定具が設けられることを特徴とするセパレートかつら。
【発明の詳細な説明】
【技術分野】
【０００１】
本願発明はかつらに関し、とくに髪の薄くなった女性等がおしゃれ用などに用いると好適なセパレートかつらに関する。
【背景技術】
【０００２】
頭部全体のはげを補修する従来のかつらは、半球状に形成された取付面に多数のヘアを設けたものが一般的であり、これを前部及び後部に固設した固定具により自毛に固定して使用される。
【０００３】
かつらはこのように自毛に固定して使用されるものであり、半球状の取付面が頭部に合致しないと固定が不完全となり、かかる場合、かつらが頭部から落下するリスクがある。また半球状の立体かつらではかつらが頭部に合わない人にとってはかえって不自然な感じともなっていた。
【０００４】
そこで従来は、かつらの固定を完全にするため、取付面を頭部に密着させようとすることが多かった。
【０００５】
取付面が平面的に形成された平面かつらは、サイズの小さなはげの部分に部分的に使用されることが多く、頭部全体がはげている場合に使用することができないでいた。
【０００６】
かつらを必要とする人は、頭頂部や後頭部の毛が薄くなることが多く、頭頂部や後頭部の毛をボリュームアップさせたい傾向にある。しかしながら、前記のかつらはこのようなニーズに応えることができないでいた。
【０００７】
従来、前部から後部にかけて数本の直線状スリットを設け、これらスリットから自毛を引き出すタイプのスリットかつらがあった。
【０００８】
しかし、従来のスリットかつらでは頭部にしっかりとフィットするように装着するため自毛を押さえつけてしまい、自毛のボリュームを生かすことができないでいた。また従来のスリットかつらはベース部分に植えた髪の毛のみでボリュームをつくろうとするため、自毛とのバランスが難しくなるという難があった。なお、自毛とのバランスが難しくなるという難は半球状の立体かつらにおいても同様であった。
【先行技術文献】
【特許文献】
【０００９】
【特許文献１】特開２０１１−２０２３３２号公報
【特許文献２】特開平７−３１０２１７号公報
【特許文献３】特開平９−２７３０１６号公報
【発明の概要】
【発明が解決しようとする課題】
【００１０】
本願発明は上記背景に鑑み、かつらの頭部への固定化とボリュームアップを図るという両立困難な課題を自毛を利用することにより解決することを目的とする。
【００１１】
また自毛と同様、ふわふわと動く自然な感じや自然な立体感を醸し出すかつらを供することを目的とする。
【課題を解決するための手段】
【００１２】
上記目的達成のため、本願発明によるセパレートかつらは、
トップ部と、ライン部と、トップ部とライン部との間に形成される開口部とからなる平面状のかつらであって、
トップ部は面状のベースと、該ベースに設けられる多数のヘアとからなり、
上記ベースの外縁に開口ラインが形成され、該開口ラインは略Ｕ字形状に形成され、
該開口ラインに沿って上記トップ部が上記ライン部から分離可能に設けられ、
該ライン部は線状に形成される線状ベースと、該線状ベースに設けられる多数のヘアとからなり、
上記ライン部が上記トップ部の外側に上記開口ラインより径大の略Ｕ字形状に形成され、
上記開口部より自毛が取り出されることを特徴とする。
また、請求項１記載のセパレートかつらにおいて、上記トップ部と上記ライン部とが装着時に段状に分離し、かつらが３次元形状に形成されることを特徴とする。
また、請求項１又は請求項２記載のセパレートかつらにおいて、上記開口ラインは上記ベースを長手方向に３等分して形成される前部の一端に形成された始点から中間部を経て後部まで連続するとともに、該後部で上記前部の他端に形成される終点に向けて反転し、上記中間部を経て上記前部まで連続して形成されることを特徴とする。
また、請求項１乃至請求項３のいずれか一に記載のセパレートかつらにおいて、上記トップ部と上記ライン部の間に他の開口部を介して他のライン部が設けられ、該他のライン部は線状に形成される線状ベースと、該線状ベースに設けられる多数のヘアとからなり、上記他のライン部が上記ライン部の内側に上記ライン部の開口ラインより径小であって上記トップ部の開口ラインより径大の略Ｕ字形状に形成されることを特徴とする。
また、請求項４記載のセパレートかつらにおいて、上記他のライン部が単一個設けられることを特徴とする。
また、請求項４記載のセパレートかつらにおいて、上記他のライン部が複数個設けられることを特徴とする。
また、請求項１記載のセパレートかつらにおいて、上記ライン部が前部から中間部までは連続する直線状に形成され、後部では半円状に形成されることを特徴とする。
また、請求項１記載のセパレートかつらにおいて、上記ベース及び上記ライン部の始点及び終点がいずれも上記前部に位置することを特徴とする。
また、請求項１記載のセパレートかつらにおいて、上記トップ部の前部及び後端部に自毛に固定される固定具が設けられることを特徴とする。
【発明の効果】
【００１３】
本願発明においては、頭部に嵌合されたライン部の上に開口部から取り出された自毛が垂下され、ライン部のヘアと混合されることにより、かつらは頭部にしっかりと固定される。
【００１４】
一方トップ部は、前部においてライン部とともに頭部に緊着されるが、頭頂部や後頭部の上に載置されるように固定されており、自毛を押圧するものがないので、増量分となるヘアがそのまま頭部に乗っている状態となり、ボリュームアップを図ることができる。
【００１５】
トップ部のヘアは押圧するものがないので、自毛同様、ふわふわと動く自然な感じがあり、自然な立体感を醸し出すことができる。よって自毛同様自然に動くのに落下しないかつらとすることができる。
【図面の簡単な説明】
【００１６】
【図１】本願発明によるセパレートかつらの実施の形態を示す裏面図である。
【図２】自毛の一部を省略した図１の表面図である。
【図３】（Ａ１）は頭部への装着前の概略斜視図、（Ａ２）は頭部への装着後の概略斜視図、（Ｂ）は頭部への装着後を説明する概略側面図である。
【図４】本願発明によるセパレートかつらの装着ステップを示す斜視図であり、（Ａ）は装着前、（Ｂ）は装着の第１ステップ、（Ｃ）は同第２ステップ、（Ｄ）は第３ステップ、（Ｅ）は第４ステップ及び（Ｆ）は第５ステップを示す。
【図５】対比例を示す裏面図である。
【発明を実施するための形態】
【００１７】
次に、実施の形態を示す図面に基づき本願発明によるセパレートかつらをさらに詳しく説明する。なお、便宜上同一の機能を奏する部分には同一の符号を付してその説明を省略する。
【００１８】
図１及び図２において、セパレートかつらは、トップ部１と、ライン部９と、第２ライン部１１とからなり、ライン部９と第２ライン部１１との間に開口部１３が形成され、トップ部１と第２ライン部１１との間に第２開口部１４が形成される。上記トップ部１は上記ライン部９及び上記第２ライン部１１から分離可能となっている。
【００１９】
トップ部１は、メッシュ地からなる面状のベース３と、該ベース３に植え付けられた多数のヘア５とからなる。本実施例では、上記ベース３の前部３ａから後部３ｃまでの長さＡ＝１１ｃｍ、前部３ａの幅Ｂ＝７ｃｍに形成してある。ヘア５は適宜長のポリエステル繊維からなる。
【００２０】
上記ベース３はＵ字形状に形成され、外縁に開口ライン４が形成される。該開口ライン４はベース３を長手方向に３等分して形成される前部３ａの一端に始点７ａが設けられるとともに、他端に終点８ａが設けられ、上記始点７ａから中間部３ｂを経て後部３ｃまで連続するとともに、該後部３ｃにて上記終点８ａに向けて反転し、中間部３ｂを経て前部３ａまで連続する。上記開口ライン４は、前部３ａから中間部３ｂまでは連続する直線状４ａに形成され、後部３ｃでは半円状４ｂに形成される。
【００２１】
上記ライン部９は、線状に形成される線状ベース９ａと、該線状ベース９ａに設けられる多数のヘア５とからなる。上記ライン部９は、上記トップ部１の外側に、上記開口ライン４と交錯しないよう、より径大の略Ｕ字形状に形成される。
【００２２】
該第２ライン部１１は、線状に形成される線状ベース１１ａと、該線状ベース１１ａに設けられる多数のヘア５とからなり、上記トップ部１と上記ライン部９の間に第２開口部１４を介して設けられる。第２ライン部１１は、上記ライン部９の内側に、ライン部９の開口ラインより径小であって上記トップ部１の開口ライン４より径大の略Ｕ字形状に形成される。
【００２３】
上記ライン部９及び上記第２ライン部１１の各開口ラインは、互いに交わることのないよう略同心楕円状に形成され、かつ、上記トップ部１の開口ライン４とも交わることのないよう形成される。
【００２４】
上記トップ部１及び上記第２ライン部１１は、各々、上記ライン部９から分離可能であり、頭部２０に装着されたとき、下方からライン部９、第２ライン部１１、トップ部１の順に段状に展開される。
【００２５】
１５ａ、１５ｂは、トップ部１の基端部に設けられ、自毛１９に挿入されるクリップからなる固定具であり、自毛にしっかり固定される。
【００２６】
固定具１５ａは前部３ａに形成されるトップ部１の始点７ａ、第２ライン部１１の始点７ｂ及びライン部９の始点７ｃの部位に横設され、固定具１５ｂは同各終点８ａ、８ｂ、８ｃの部位に横設される。
【００２７】
１７は、トップ部１の後端部に設けられる櫛状の固定具であり、自毛１９に挿入される。
【００２８】
次に図３及び図４に基づき、本実施の形態によるセパレートかつらの装着方法を説明する。
【００２９】
セパレートかつらは、図３（Ａ１）に示すような平面状の状態で保管され、頭部２０に装着されると、図３（Ａ２）に示すような段状に展開される（図３（Ｂ））。
【００３０】
図４に基づき具体的な装着ステップをみる。自毛１９が薄くなった部分１９ｃ（図４（Ａ））のボリュームアップを図るため、頭部２０にセパレートかつらのライン部９を嵌着し、固定具１５ａ、１５ｂを自毛１９の中に挿入して前部３ａを固定する（図４（Ｂ））。
【００３１】
次いで、ライン部９の直上にある自毛１９ａを該ライン部９の上から垂らし、該ライン部９を自毛１９中に固定する（図４（Ｃ））。
【００３２】
次いで、第２ライン部１１を浮上させてライン部９の上方の頭部２０に嵌着し、該第２ライン部１１の直上にある自毛１９ｂを該第２ライン部１１の上から垂らし、該第２ライン部１１を自毛１９中に固定する（図４（Ｄ））。
【００３３】
次いで、トップ部１を浮上させて第２ライン部１１の上方に載置し、固定具１７を自毛１９の中に挿入して後部３ｃを固定する（図４（Ｅ））。
【００３４】
かくして本願発明によるセパレートかつらがユーザ頭部２０の自毛１９中に固定される（図４（Ｆ））。
【００３５】
図面において、便宜上、自毛１９、１９ａ、１９ｂ、１９ｃは黒く表示し、ヘア５は白く表示したが、実際上のヘア５は自毛１９、１９ａ、１９ｂ、１９ｃと同色に構成する。例えば自毛１９、１９ａ、１９ｂ、１９ｃが黒色の場合は黒色に、白髪混じりの場合は白髪混じりとする。また図２において、便宜上、自毛１９、１９ａ、１９ｂの一部は省略して表わした。
【００３６】
上記実施の形態によるセパレートかつらの頭部２０への固定は、前部３ａ及び後部３ｃでの固定具１５ａ、１５ｂ、１７による自毛１９への緊着によるだけでなく、前部３ａから後部３ｃにかけて嵌着されているライン部９及び第２ライン部１１の上に各開口部１３、１４より取り出された自毛１９ａ、１９ｂが垂下されることによりなされる。これにより、ライン部９及び第２ライン部１１の線状ベース９ａ、１１ａが自毛１９ａ、１９ｂにより２段構えにてしっかりと挟持され固定される。
【００３７】
開口部１３から取り出された自毛１９ａ、１９ｂは、ライン部９及び第２ライン部１１の上に垂下される際自毛１９と混合され、これによりライン部９及び第２ライン部１１の固定がさらに強化される。
【００３８】
一方、トップ部１は、前部３ａが自毛１９に緊着されるものの、頭部２０の頂上において櫛状の固定具１７により自毛１９の上に軽く固定された状態で載置されているだけである。
【００３９】
よってトップ部１は、自毛１９を押圧するものがないので、増量分となるヘア５がそのまま頭部２０に乗っている状態となり、頭頂部及び後頭部のヘアのボリュームアップを図ることができる。
【００４０】
しかもトップ部１のヘア５は押圧するものがないので、自毛１９同様、ふわふわと動く自然な感じがあり、自然な立体感を醸し出すことができる。
【００４１】
よって自然に動くのに落下しないかつらとなり、とくに頭頂部や後頭部の髪の薄くなった女性のおしゃれ用などに用いると好適な効果を発揮する。
【００４２】
図５は試作中の失敗例であり、これとの対比で上記効果を検証する。図５において、失敗例のベース２１は、後端部に形成される開口ライン２２が半円状に形成され、ベースライン部２３、中間ライン部２５、２７に対し、段状に分離可能に形成されていない。図中、３１ａ、３１ｂは前部３ａに設けられたクリップ状の固定具、３２ａ、３２ｂは後部３ｃに設けられたクリップ状の固定具、３３はヘアである。
【００４３】
図５に示す対比例の場合、ベース２１が他の部分に対し分離可能でないのは、ベース２１の開口ライン２２及び中間ライン部２５、２７がベースライン部２３の楕円形に形成された円周上に、夫々の始点３５ａ、３５ｂ、３５ｃ及び終点３６ａ、３６ｂ、３６ｃを形成されるためである。
【００４４】
対比例において、ベース２１、中間ライン部２５、２７及びベースライン部２３の間に形成される開口部２８、２９、３０より取り出された自毛は、弧状に形成されたベースライン部２３、中間ライン部２５、２７の上に垂下されるが、ベース２１の固定にはあまり寄与しない。
【００４５】
またベース２１は、ベースライン部２３、中間ライン部２５、２７に対し段状に分離可能でないため、装着される頭部２０上にしっかりと固定されたままとなり、ベース２１上に設けられたヘア５によるボリュームアップとはならないのである。よって、ふわふわと動く自然な感じや自然な立体感を醸し出すことができなかった。
【００４６】
本願発明によるセパレートかつらは上記した実施の形態に限定されない。例えば、他のライン部は、上記した実施の形態のように単一個でもよいが、複数個設けることができる。また第２ライン部１１の設置は任意である。
【００４７】
トップ部１の開口ライン４の始点及び終点と、ライン部９及び第２ライン部１１の開口ラインの始点及び終点は、各開口ラインの開口軌跡が交錯しないものであれば足り、必ずしもベース３を３等分して形成される部位に設けなくてもよい。
【００４８】
またトップ部１の開口ライン４と、ライン部９及び第２ライン部１１の開口ラインの開口軌跡は、必ずしも同心状でなくともよい。
【００４９】
ベース、ヘア、ライン部、他のライン部の構成素材は任意である。例えば、ヘアにはアクリル系繊維や人毛を使用したり、これらの混合物を使用することもできる。またベースの構成素材には種々のものが用いられる。ヘアの色は任意に構成することができる。
【００５０】
本願発明によるセパレートかつらは頭頂部や後頭部の髪の薄くなった女性のおしゃれ用などに用いると好適な効果を発揮するが、女性に限定されず、男性にも適用可能である。
【００５１】
前部又は後部に設ける固定具の種類、形状は任意である。
【産業上の利用可能性】
【００５２】
本願発明はかつらとして活用することができる。
【符号の説明】
【００５３】
１      トップ部
３      ベース
３ａ    前部
３ｂ    中間部
３ｃ    後部
４      開口ライン
５      ヘア
７ａ    始点
７ｂ    始点
７ｃ    始点
８ａ    終点
８ｂ    終点
８ｃ    終点
９      ライン部
９ａ    線状ベース
１１    第２ライン部
１１ａ  線状ベース
１３    開口部
１４    第２開口部
１５ａ  固定具
１５ｂ  固定具
１７    固定具
１９    自毛
２０    頭部
２１    ベース
２２    開口ライン
２３    ベースライン部
２５    中間ライン部
２７    中間ライン部
２８    開口部
２９    開口部
３０    開口部
３１ａ  固定具
３１ｂ  固定具
３２ａ  固定具
３２ｂ  固定具
３３    ヘア
３５ａ  始点
３５ｂ  始点
３６ａ  終点
３６ｂ  終点
【図１】
2015200040.tif 000003
【図３】
2015200040.tif 000004
【図５】
2015200040.tif 000005
【図２】
2015200040.tif 000006
【図４】
2015200040.tif 000007